(57)【要約】【課題】  素人であっても、容易にかつ迅速に、しかも確実に、パネルによるデザイン表示を変更することのできるパーテーションを提供する。【解決手段】  表示窓１７を有する外枠１０と、外枠１０に設けられてパネル１００の外周縁部が重ね合わされる受け面２０と、外枠１０に対して嵌脱可能な内枠３０と、内枠に設けられてパネル１００の外周縁部を受け面２０との間に挟み込む押え面４０とを有する。内枠３０を上框３１と縦框３２とに分け、それらを外枠１０の上枠部１１と縦枠部１２とに蝶番５０を介して連結する。蝶番５０は、上框３１及び縦框３２を、外枠１０に対する嵌合位置と離脱位置との間の任意の開き位置に保持する機能を有する。【選択図】        図１
2011021409.tif 000002
【特許請求の範囲】
【請求項１】
パネルを着脱可能としてパネルによるデザイン表示を変更可能としたパーテーションであって、
パネル面を露出させる表示窓を有する外枠と、
この外枠に設けられて上記パネルの下端縁部が載架されるパネル支持面と、
この外枠の上記表示窓の開口縁部に設けられて上記パネルの外周縁部が重ね合わされる受け面と、
上記外枠に対して嵌脱可能で、かつ、外枠に嵌合されているときに上記パネルの外周縁部を上記受け面との間に挟み込む押え面を有してなる内枠と、
上記外枠に嵌合された内枠の上記押え面を、パネルの外周縁部を上記外枠の受け面との間に挟み込む動作位置に位置決めするための内枠位置決め手段と、
を有することを特徴とするパーテーション。
【請求項２】
上記内枠が、矩形に形作られた上記外枠の上枠部を相手方部材とする上框と、上記外枠の左右それぞれの縦枠部を相手方部材とする各別の縦框と、に分かれていて、上記上框及び左右それぞれの上記縦框が、それらの相手方部材である上記上枠部及び左右の縦枠部に蝶番を介してそれぞれ連結されていると共に、上記内枠位置決め手段が、上記上框及び左右それぞれの上記縦框を、上記外枠に対する嵌合位置と離脱位置との間の任意の開き位置に保持する機能を有する上記蝶番によって形成されている請求項１に記載したパーテーション。
【請求項３】
上記上框及び左右それぞれの上記縦框が上記外枠に対する嵌合位置に位置しているときに、左右それぞれの上記縦框の内側面に上記上框の端縁が突き合わされて、当該縦框が外枠からの離脱方向に開かないように構成されている請求項２に記載したパーテーション。    
【請求項４】
上記パネル支持面が、上記外枠の下部に位置する幅木部に設けられて上記パネルの下端部が挿入される溝部の溝底面によって形成されている請求項１ないし請求項３のいずれか１項に記載したパーテーション。
【請求項５】
上記内枠が、矩形に形作られた上記外枠の上枠部を相手方部材とする上框と、上記外枠の左右それぞれの縦枠部を相手方部材とする各別の縦框と、上記外枠の下枠部を相手方部材とする下框と、に分かれていて、
上記内枠位置決め手段が、上記上框、左右それぞれの上記縦框及び上記下框に設けられたボルト挿通孔部と、上記上枠部、左右それぞれの上記縦枠部及び上記下枠部に具備されたねじ孔と、上框、左右それぞれの縦框及び下框の上記ボルト挿通孔部に挿通されて上枠部、左右それぞれの縦枠部及び下枠部の上記ねじ孔にねじ込まれるボルトと、を有する請求項１に記載したパーテーション。
【請求項６】
上記内枠が、矩形に形作られた金属製の上記外枠の上枠部を相手方部材とする上框と、上記外枠の左右それぞれの縦枠部を相手方部材とする各別の縦框と、上記外枠の下枠部を相手方部材とする下框と、に分かれていて、
上記内枠位置決め手段が、上記上框、左右それぞれの上記縦框及び上記下框に設けられて、上枠部、左右それぞれの縦枠部及び下枠部に吸着可能な磁石でなる請求項１に記載したパーテーション。
【請求項７】
パネルを着脱可能としてパネルによるデザイン表示を変更可能としたパーテーションであって、
パネル面を露出させる表示窓を有する外枠と、
この外枠に設けられて上記パネルを抜き差し可能でかつ差込み時にそのパネルの外面を上記表示窓に位置させる溝部と、
を有することを特徴とするパーテーション。
【請求項８】
上記外枠の表示窓が、当該外枠の厚さ方向に貫通する開口でなる請求項１ないし請求項７のいずれか１項に記載したパーテーション。
【請求項９】
上記外枠が木質材、金属材又は合成樹脂材のいずれかでなり、上記内枠が木質材、金属材又は合成樹脂材のいずれかでなる請求項１ないし請求項８のいずれか１項に記載したパーテーション。
【発明の詳細な説明】
【技術分野】
【０００１】
本発明は、パーテーション、詳しくは、空間の間仕切りや衝立などに多目的に利用することのできるパーテーションに関する。
【背景技術】
【０００２】
この種のパーテーションは、空間の演出効果を高めるための間仕切りや衝立などに多々利用されていて、パネルによって発揮される装飾効果に変化を持たせるために、パネルによるデザイン表示を変更可能とすることが行われている（たとえば、特許文献１、特許文献２参照）。
【０００３】
上掲の特許文献１には、パネルによるデザイン表示を変更するための対策として、ガラス又はプラスチック材料でなる透明な板状部材を枠部材によって自立可能に保持させ、その板状部材の表面に粘着シートでなるパーツを貼り付けて所定のデザインをパネルに付与したり、板状部材に貼り付けられている上記パーツを剥がしたりすることによってパネルによるデザイン表示を変更可能とする手法が記載されている。
【０００４】
また、上掲の特許文献２では、上下の固定部材及び接合部材に、パネルの辺部を覆う縁部材が着脱可能であって、縁部材をパネルから取り外した状態で、パネルにデザインを付与している表装材だけを交換することができるようにしたものが提案されている。
【先行技術文献】
【特許文献】
【０００５】
【特許文献１】特開２００２−２５００９２号公報
【特許文献２】特開２００５−３６４８６号公報
【発明の概要】
【発明が解決しようとする課題】
【０００６】
しかしながら、上掲の特許文献１によって提案されているパネルによるデザイン表示を変更するための対策は、透明な板状材料に粘着シートでなるパーツを貼着したり剥がしたりするものであることから、パーツを貼着したり剥がしたりするのに時間がかかるだけでなく、素人にとっては、パーツとしての粘着シートを板状材料に貼り付けて一定のデザインを付与することが困難であるという問題がある。
【０００７】
また、上掲の特許文献２によって提案されているパネルによるデザイン表示を変更するための対策は、パネルに重ね合わされている薄い表装材を交換した後に、そのパネルを縁枠部に装着するものであるので、表装材の取り扱い中に表装材に皺が生じたり表装材が破れたりするおそれがあり、素人にとっては、表装材の交換に困難が伴うという問題がある。
【０００８】
そこで、熟練者は勿論、素人であっても、パネルによるデザイン表示を変更するための作業を容易にかつ迅速に、しかも確実に行えるようにすることが要求された。
【０００９】
本発明は、以上の問題点や要求に鑑みてなされたものであり、熟練者は勿論、素人であっても、１人の作業者だけで、容易にかつ迅速に、しかも確実に、パネルによるデザイン表示を変更することのできるパーテーションを提供することを目的とする。
【課題を解決するための手段】
【００１０】
本発明に係るパーテーションは、パネルを着脱可能としてパネルによるデザイン表示を変更可能としたものである。そして、このパーテーションは、パネル面を露出させる表示窓を有する外枠と、この外枠に設けられて上記パネルの下端縁部が載架されるパネル支持面と、この外枠の上記表示窓の開口縁部に設けられて上記パネルの外周縁部が重ね合わされる受け面と、上記外枠に対して嵌脱可能で、かつ、外枠に嵌合されているときに上記パネルの外周縁部を上記受け面との間に挟み込む押え面を有してなる内枠と、上記外枠に嵌合された内枠の上記押え面を、パネルの外周縁部を上記外枠の受け面との間に挟み込む動作位置に位置決めするための内枠位置決め手段と、を有する。
【００１１】
この構成を有するパーテーションは、パネル自体を交換してパネルによるデザイン表示を変更可能としたものであるので、上掲の特許文献１や特許文献２によって提案されている技術に見られるような、素人にとっての作業の困難性を生じる余地がない。
【００１２】
特に、この構成のパーテーションでは、内枠を取り外した外枠にパネルを嵌め込んで、そのパネルの下端縁部を外枠のパネル支持面に載架させること、パネルの外周縁部を外枠の受け面に重ね合わせること、外枠に嵌め込んだ内枠の押え面と外枠の受面とによってパネルの外周縁部を挟み込むこと、内枠位置決め手段によって内枠の押え面を動作位置に位置決めすること、とをこの順に行うだけでパネルの交換が可能である。そして、このようなパネルの交換作業には、パーツとしての粘着シートを板状材料に貼り付けたり剥がしたりする作業が含まれず、また、パネルに重ね合わされている薄い表装材を交換したりする作業も含まれていないので、熟練者は勿論、素人であっても、パーテーションのパネルを、デザインの異なる他のパネルに容易にかつ迅速に、しかも確実に交換することが可能になる。
【００１３】
本発明では、上記内枠が、矩形に形作られた上記外枠の上枠部を相手方部材とする上框と、上記外枠の左右それぞれの縦枠部を相手方部材とする各別の縦框と、に分かれていて、上記上框及び左右それぞれの上記縦框が、それらの相手方部材である上記上枠部及び左右の縦枠部に蝶番を介してそれぞれ連結されていると共に、上記内枠位置決め手段が、上記上框及び左右それぞれの上記縦框を、上記外枠に対する嵌合位置と離脱位置との間の任意の開き位置に保持する機能を有する上記蝶番によって形成されている、という構成を採用することが可能である。
【００１４】
この構成であれば、蝶番が有する機能によって、内枠の上框や左右の縦框を外枠に対する離脱位置に開いてその位置に停めておくことが可能であるので、外枠に対する嵌合位置から離脱させた内枠の置き場所を別途確保する必要がなくなるだけでなく、離脱位置に開いた上框や縦框が揺れ動いてパネルを外枠に嵌め込む作業のじゃまになるという事態が起こらない。そのため、１人の作業者が多くの労力を費やすことなく、容易にかつ迅速に、しかも確実にパネルの交換作業を行うことが可能になる。
【００１５】
本発明では、上記上框及び左右それぞれの上記縦框が上記外枠に対する嵌合位置に位置しているときに、左右それぞれの上記縦框の内側面に上記上框の端縁が突き合わされて、当該縦框が外枠からの離脱方向に開かないように構成されていることが望ましい。
【００１６】
この構成であれば、嵌合位置の縦框が、左右の縦枠部に対する嵌合位置から不慮に開いて外枠から離脱するという事態を阻止するので、特別の施錠機構を設けることなく、第三者がパネルを盗み取ったりすることを未然に防止することが可能になる。
【００１７】
本発明によれば、上記パネル支持面が、上記外枠の下部に位置する幅木部に設けられて上記パネルの下端部が挿入される溝部の溝底面によって形成されていることが望ましい。この構成であると、外枠にパネルを嵌合するときに、パネルの下端部を幅木部の溝部に挿入した後、そのパネルの外周縁部を外枠の受け面に重ね合わせることができるために、パネルを正確に外枠に嵌め込むことが可能になるという利点がある。
【００１８】
本発明では、上記内枠が、矩形に形作られた上記外枠の上枠部を相手方部材とする上框と、上記外枠の左右それぞれの縦枠部を相手方部材とする各別の縦框と、上記外枠の下枠部を相手方部材とする下框と、に分かれていて、上記内枠位置決め手段が、上記上框、左右それぞれの上記縦框及び上記下框に設けられたボルト挿通孔部と、上記上枠部、左右それぞれの上記縦枠部及び上記下枠部に具備されたねじ孔と、上框、左右それぞれの縦框及び下框の上記ボルト挿通孔部に挿通されて上枠部、左右それぞれの縦枠部及び下枠部の上記ねじ孔にねじ込まれるボルトと、を有する、という構成を採用することも可能である。
【００１９】
また、本発明では、上記内枠が、矩形に形作られた金属製の上記外枠の上枠部を相手方部材とする上框と、上記外枠の左右それぞれの縦枠部を相手方部材とする各別の縦框と、上記外枠の下枠部を相手方部材とする下框と、に分かれていて、上記内枠位置決め手段が、上記上框、左右それぞれの上記縦框及び上記下框に設けられて、上枠部、左右それぞれの縦枠部及び下枠部に吸着可能な磁石でなる、という構成を採用することも可能である。
【００２０】
さらに、本発明では、パネルを着脱可能としてパネルによるデザイン表示を変更可能としたパーテーションであって、パネル面を露出させる表示窓を有する外枠と、この外枠に設けられて上記パネルを抜き差し可能でかつ差込み時にそのパネルの外面を上記表示窓に位置させる溝部と、を有する、という構成を採用することも可能である。
【００２１】
本発明に係るパーテーションは、上記外枠の表示窓が、当該外枠の厚さ方向に貫通する開口でなることが望ましい。この構成を採用すると、当該パーテーションの一側及び他側のどちらからでもパネルのデザインが見えるので、空間を仕切る間仕切りとして有益である。また、本発明では、上記外枠が木質材、金属材又は合成樹脂材のいずれかでなり、上記内枠が木質材、金属材又は合成樹脂材のいずれかでなる。外枠や内枠の材料として、木質材、金属材又は合成樹脂材を適宜選択利用することにより、パネルのデザインと外枠や内枠の材質との組み合わせによって表現される量感や質感などの選択自由度が向上する。
【発明の効果】
【００２２】
以上のように、本発明によれば、パネル自体を交換することによってパネルによるデザイン表示を変更可能としたので、熟練者は勿論、素人であっても、容易にかつ迅速に、しかも確実に、パネルによるデザイン表示を変更することのできるようになる。
【００２３】
特に、内枠位置決め手段に所定の機能を有する蝶番を用いると、１人の作業者だけで、パネルによるデザイン表示を楽に変更することが可能になるという効果が奏される。内枠位置決め手段として、ボルトを用いる手段、磁石を用いる手段を採用することができるという利点もある。
【００２４】
また、パネルを外枠の溝部に抜き差し可能としたものでは、当該パーテーションの構造を簡素化することが可能になるという効果が奏される。
【図面の簡単な説明】
【００２５】
【図１】本発明の第１の実施形態に係るパーテーションの正面図である。
【図２】図１のＩＩ−ＩＩ線に沿う部分の概略断面図である。
【図３】図１のＩＩＩ−ＩＩＩ線に沿う部分の概略断面図である。
【図４】蝶番５０の正面図である。
【図５】上框を離脱位置に回動させた状態での概略縦断側面図である。
【図６】パネル交換作業時での縦框の作用を説明するための概略縦断側面図である。
【図７】図１のＶＩＩ部の部分斜視図である。
【図８】第２の実施形態によるパーテーションの一部を省略して示した概略縦断側面図である。
【図９】図９のパーテーションの一部を省略して示した概略横断平面図である。
【図１０】第３の実施形態によるパーテーションの一部を省略して示した概略縦断側面図である。
【図１１】第４の実施形態によるパーテーションの一部を省略して示した概略縦断側面図である。
【図１２】図１１のパーテーションの一部を省略して示した概略横断平面図である。
【図１３】第５の実施形態によるパーテーションの一部を省略して示した概略横断平面図である。
【図１４】本発明に係るパーテーションの使用例を示した概略斜視図である。
【発明を実施するための形態】
【００２６】
図１は本発明の第１の実施形態に係るパーテーションの正面図である。このパーテーションは、外枠１０と、この外枠１０に嵌合された内枠３０とを有している。そして、内枠３０は外枠１０に嵌脱可能であり、パネル１００の交換作業は、外枠１０に嵌合されている内枠３０をその嵌合位置から離脱させた状態で行われる。
【００２７】
図２は図１のＩＩ−ＩＩ線に沿う部分の概略断面図、図３は図１のＩＩＩ−ＩＩＩ線に沿う部分の概略断面図である。
【００２８】
図１及び図２を併せ見ることによって判るように、外枠１０は、上枠部１１と、左右の縦枠部１２と、下部の下枠部としての幅木部１３とによって正面視矩形に形作られている。そして、幅木部１３に横方向（左右方向に一致する）に延びる溝部１４が形成されていて、この溝部１４の溝底面がパネル支持面１５として形成されている。この実施形態では、溝部１４に挿入されたゴム材などでなる細長い緩衝体１６がパネル支持面１５に載架されている。この外枠１０は、パネル１００の表裏両面を前側及び後側に露出させる正面視矩形の表示窓１７を形成している。
【００２９】
この実施形態では、内枠３０が、上框３１と左右それぞれの縦框３２，３２とによって正面視門形に形作られている。図１〜図３のように、内枠３０が外枠１０に嵌合されているときには、上框３１が外枠１０の上枠部１１に重なり合い、左右それぞれの縦框３２，３２が外枠の左右それぞれの縦枠部１２に重なり合っている。そして、外枠１０には、上枠部１１に具備された横長平坦面２１と、左右それぞれの縦枠部１２，１２に具備された縦長平坦面２２，２２と、溝部１４に具備されている一方側の横長内壁面２３との組み合わせによって形成された受け面２０が備わっている。これに対し、外枠１０に嵌合されている内枠３０には、上框３１に具備されて上枠部１１の上記横長平坦面２１に対峙している横長平坦面４１と、左右それぞれの縦框３２，３２に具備されて縦枠部１２，１２の上記縦長平坦面２２，２２に対峙している縦長平坦面４２，４２と、上記溝部１４に具備されて上記一方側の内壁面２３に対峙している他方側の内壁面４３との組み合わせによって形成された押え面４０が備わっている。
【００３０】
図１又は図２のように、矩形に形作られている上記パネル１００は、その下端部が外枠１０の幅木部１３に備わっている上記溝部１４に挿入されていると共に、このパネル１００の下端縁部１０１が、溝部１４に配備されている上記緩衝体１６を介し、溝部１４の溝底面でなるパネル支持面１５に載架されている。したがって、構造的には、パネル１００の下端縁部１０１が、溝部１４の一方側の内壁面２３と他方側の内壁面４３との間に挟み込まれている。また、図２のように、パネル１００の上端縁部１０２が、外枠１０の上枠部１１に備わっている横長平坦面２１と、外枠１０に嵌合されている内枠３０の上框３１に備わっている横長平坦面４１との間に挟み込まれている。さらに、図３のように、パネル１００の一方側の側端縁部１０３が、外枠１０の縦枠部１２に備わっている縦長平坦面２２と、外枠１０に嵌合されている内枠３０の縦框３２に備わっている縦長平坦面４２との間に挟み込まれている。図３には現れていないけれども、パネル１００の他方側の側端縁部も、外枠１０の縦枠部に備わっている縦長平坦面と、外枠１０に嵌合されている内枠３０の縦框に備わっている縦長平坦面との間に挟み込まれている。以上より、外枠１０に内枠３０が嵌合されているときには、外枠１０に嵌合されているパネル１００の外周縁部が、外枠１０の受け面２０と内枠３０の押え面４０との間に挟み込まれていることになる。
【００３１】
上記構成でパネル１００が外枠１０の受け面２０と内枠３０の押え面４０との間に挟み込まれていると、外枠１０の表示窓１７に、パネル１００の正面（表面）と背面（裏面）とが露出するので、当該パーテーションの正面側からパネル１００の表面が見え、その背面側からパネル１００の裏面が見えるようになる。したがって、パネル１００の表裏両面に、同一又は異なる柄模様や文字、その他のデザイン表示を施しておくと、当該パーテーションの正面側及び背面側からそれらのデザイン表示が見えるようになる。
【００３２】
このパーテーションにおいて、外枠１０に嵌合されている内枠３０は、その押え面４０が、パネル１００の外周縁部を外枠１０の受け面２０との間に挟み込む位置、すなわち動作位置に位置決めされていることが必要である。そこで、この実施形態では、次に説明する構成を採用することによって、外枠１０に嵌合されている内枠３０の受け面２０を動作位置に位置決めしている。
【００３３】
すなわち、図２のように、内枠３０の上框３１が、その相手方部材である外枠１０の上枠部１１に蝶番５０によって開閉動可能に連結されている。また、図３のように、内枠３０の左右それぞれの縦框３２が、それらの相手方部材である外枠１０の左右それぞれの縦枠部１２に、同様の蝶番５０によって開閉動可能に連結されている。そして、上框３１が閉動されているときに、その上框３１の横長平坦面４１が、上枠部１１の横長平坦面２１に対峙してパネル１００の上端縁部１０２を上枠部１１の横長平坦面２１との間に挟み込むようになっている。同様に、縦框３２が閉動されているときに、その縦框３２の縦長平坦面４２が、縦枠部１２の縦長平坦面２２に対峙してパネル１００の側端縁部１０３を縦枠部１２の縦長平坦面２２との間に挟み込むようになっている。
【００３４】
ここで、上記したそれぞれの蝶番５０は、上框３１及び左右それぞれの縦框３２を、それらの相手方部材である外枠１０の上枠部１１や縦枠部１２に対する嵌合位置と離脱位置との間の任意の開き位置に保持する機能を有している。上框３１や縦框３２についての嵌合位置とは、外枠１０に内枠３０が嵌合されているときの上框３１や縦框３２の位置、すなわち図１〜図３に実線で示された上框３１や縦框３２の位置のことである。また、上框３１や縦框３２についての離脱位置とは、蝶番５０の回動軸線を中心として上框３１や縦框３２が開き方向に回動されて、それらが上記嵌合位置から離脱してその外側へ退避しているときの位置のことである。
【００３５】
このように、蝶番５０が上記した機能を有していると、上框３１や縦框３２を上記嵌合位置に閉動させているときには、その蝶番５０の機能によって、上框３１や縦框３２がそれらの嵌合位置に保持される。したがって、外枠１０に嵌合されている内枠３０は、その押え面４０が、パネル１００の外周縁部を外枠１０の受け面２０との間に挟み込む位置、すなわち動作位置に位置決めされていることになる。このことを言い換えると、上記した機能を有する蝶番５０によって内枠位置決め手段が形成されている。
【００３６】
図４は上記機能を有する蝶番５０を正面図で例示してある。同図のように、図例の蝶番５０では、回転支軸５１とこの回転支軸５１が貫挿されている筒部５２との間に、一定の摩擦抵抗を発生させるための摩擦材（図に現れていない）が介在されていると共に、回転支軸５１と筒部５２とに取付板部５３，５４が設けられている。そして、取付板部５３，５４の一方が上枠部１１又は縦枠部１２に固着され、他方が上框３１又は縦框３２に固着される。この構成を有する蝶番５０は、上記したように、摩擦材の作用によって、上記した機能、すなわち、上框３１及び左右それぞれの縦框３２を、外枠１０に対する嵌合位置と離脱位置との間の任意の開き位置に保持する機能を発揮する。
【００３７】
次に、パーテーションでのパネル１００の交換作業を図５又は図６を参照して説明する。図５は内枠３０の上框３１を離脱位置に回動させた状態での概略縦断側面図、図６はパネル交換作業時での左右の縦框３２，３２の作用を説明するための概略縦断側面図である。
【００３８】
パネル１００をパーテーションに装着する作業では、図５矢印Ａのように上框３１を蝶番５０を利用して嵌合位置から外側へ開動させて離脱位置に位置させることによって、上枠部１１の横長平坦面２１を開放する。このときの上框３１の開き位置は蝶番５０の上記した機能によって任意の角度に定めることができる。同様に、図６に仮想線で示したように左右の縦框３２，３２を蝶番５０を利用して嵌合位置から外側へ開動させてそれらの縦框３２，２１を離脱位置に位置させることによって、縦枠部１２，１２の縦長平坦面２２，２２を開放する。このときの縦框３２，３２の開き位置も、蝶番５０の上記した機能によって任意の角度に定めることができる。
【００３９】
次に、図５のようにパネル１００を斜めに傾斜させ、その下端縁部１０１を外枠１０の幅木部１３に設けられている溝部１４に矢印Ｙのように挿入して、その下端縁部１０１を緩衝体１６に乗せ掛ける。この作業と併せて、パネル１００を傾斜姿勢から垂直姿勢に起こして、そのパネル１００の上端縁部１０２を上枠部１１の横長平坦面２１に重ね合わせると共に、パネル１００の側端縁部１０３を左右の縦枠部１２，１２の縦長平坦面２２，２２に重ね合わせる。この後、離脱位置に逃がされている左右の縦框３２，３２を図６の矢印Ｂのように閉動させてそれらの縦框３２，３２を嵌合位置に位置させることにより、縦枠部１２の縦長平坦面２２と縦框３２の縦長平坦面４２との間にパネル１００の左右の側端縁部１０３，１０３を挟み込む。最後に、離脱位置に逃がされている上框３１を図２の矢印Ｃのように閉動させてその上框３１を嵌合位置に位置させることにより、上枠部１１の横長平坦面２１と上框３１の横長平坦面４１との間にパネル１００の上端縁部１０２を挟み込む。
【００４０】
このようにすると、それぞれの蝶番５０に備わっている上記機能によって、上框３１と左右の縦框３２，３２とによって構成されている内枠３０が、外枠１０に嵌合されてその位置で位置決めされた状態になると共に、外枠１０の受け面２０と内枠３０の押え面４０との間にパネル１００の外周縁部が挟み込まれて、そのパネル１００が起立姿勢に確実に保持される。
【００４１】
パーテーションに装着されているパネル１００を異なるデザイン表示のパネルに交換するときには、上記したところと同様の作業を行って上框３１や左右の縦框３２，３２を離脱位置に位置させた後、パーテーションに装着されているパネル１００を取り外し、他のデザイン表示のパネルを上記した手順で装着してパネルを起立姿勢に保持させる。
【００４２】
この実施形態では、外枠１０に嵌合された内枠３０の押え面４０を、パネル１００の外周縁部を外枠１０の受け面２０との間に挟み込む動作位置に位置決めするための内枠位置決め手段が、上記機能を発揮する蝶番５０によって構成されている。さらに加えて、この実施形態では、内枠３０の上框３１に、左右の縦框３２，３２を嵌合位置に位置決めする機能を具備させてある。この点を次に説明する。
【００４３】
図１に示したように、内枠３０の左右の縦框３２，３２が外枠１０の上端に達する長さを有しているのに対し、内枠３０の上框３１は、左右の縦框３２，３２の両方が嵌合位置に位置しているときに、嵌合位置の上框３１が左右それぞれの縦框３２，３２の相互間に亘る長さを有している。このため、上框３１が嵌合位置に閉動しているときには、その上框３１の両端のそれぞれが、左右それぞれの縦框３２，３２の内側面３３，３３に各別に突き合わされることになり、その結果、左右の縦框３２，３２が離脱方向に開くことを上框３１が阻止する。嵌合位置の上框３１がこのように左右の縦框３２，３２が嵌合位置から離脱方向に開くことを阻止する作用を発揮するようになっていると、特別のロック機構を設けることなく、第三者がパネルを盗み取ったりすることを未然に防止することが可能になる。したがって、たとえば、嵌合位置の上框３１を外枠１０に対して施錠する機構を設けておくだけで、左右の縦框３２，３２に施錠を施さなくても、内枠３０が外枠１０から取り外されるという事態が防止される。
【００４４】
また、この実施形態では、パーテーションの見栄えを考慮して、内枠３０の左右の縦框３２，３２を外枠１０の下端にまで延出させている。このこととの関係上、縦框３２には、図７に示した部分斜視図に示した凹所３４を具備させてある。こうしておけば、縦框３２を嵌合位置に閉動させたときに、外枠１０の幅木部１３が凹所３４に収容されるので、幅木部１３が縦框３２を嵌合位置に閉動させることの障害にならない。
【００４５】
図８は第２の実施形態によるパーテーションの一部を省略して示した概略縦断側面図、図９は同パーテーションの一部を省略して示した概略横断平面図である。この実施形態は、内枠位置決め手段にビス止め構造を採用した事例である。
【００４６】
この実施形態では、外枠の上枠部１１に、その横長平坦面２１の上側から前方に向けて横長の突出部１８を設けてある。また、幅木部１３には、入隅形状を形作っている横長の立上り平坦面２４と横長の水平な平坦面とを具備させてあり、その水平な平坦面によって、パネル１００の下端縁部が載架されるパネル支持面１５を形成してある。そして、上枠部１１及び幅木部１３のそれぞれに、ねじ孔６１，６２を設けてある。また、外枠の縦枠部１２にもねじ孔６３を設けてある。
【００４７】
これに対し、内枠は、矩形に形作られた外枠の上枠部１１を相手方部材とする上框３１と、外枠の左右それぞれの縦枠部１２を相手方部材とする各別の縦框３２と、外枠の下枠部としての幅木部１３を相手方部材とする下框３５とに分かれている。そして、上記内枠位置決め手段が、上框３１、左右それぞれの縦框３２及び下框３５に設けられたボルト挿通孔部３１ａ，３２ａ，３５ａと、上枠部１１、左右それぞれの縦枠部１２及び幅木部１３に具備されたねじ孔６１，６２，６３と、上框３１、左右それぞれの縦框３２及び下框３５のボルト挿通孔部３１ａ，３２ａ，３５ａに挿通されて上記各ねじ孔６１，６２，６３にねじ込まれるボルト６５とを有する。
【００４８】
内枠位置決め手段が上記構成を備えていると、ボルト６５を上框３１、左右それぞれの縦框３２及び下框３５のボルト挿通孔部３１ａ，３２ａ，３５ａに挿通させて、各ねじ孔６１，６２，６３にねじ込むことによって、上框３１、左右それぞれの縦框３２及び下框３５によって構成される内枠が外枠に嵌合位置で位置決めされる。そのため、上框３１の横長平坦面４１、縦框３２の縦長平坦面４２、下框３５に設けられている横長平坦面４４によって形成される押え面４０が、外枠の受け面２０に対峙し、それらの相互間にパネル１００の外周縁部が挟み込まれる。パネル１００の交換は、各ボルト６５を取り外して上框３１、左右それぞれの縦框３２及び下框３５によって構成される内枠を外枠から離脱させた後、パネル１００を上記のように外枠の受け面２０と内枠の押え面４０との間に挟み込む。
【００４９】
図１０は第３の実施形態によるパーテーションの一部を省略して示した概略縦断側面図である。この実施形態は、内枠位置決め手段に磁石を採用した事例である。
【００５０】
この実施形態では、内枠位置決め手段が、上框３１、左右それぞれの縦框（不図示）及び下框３５に設けられて、上枠部１１、左右それぞれの縦枠部（不図示）及び下枠部としての幅木部１３に吸着可能な磁石７０でなる。そして、上枠部１１、左右それぞれの縦枠部（不図示）及び下枠部としての幅木部１３には、上框３１、左右それぞれの縦框（不図示）及び下框３５に設けられている磁石７０が吸着可能な吸着面を有している。図１０には上枠部１１の吸着面を符号２６で示し、幅木部１３の吸着面を符号２７で示してあり、縦枠部の吸着面を図示省略してある。
【００５１】
内枠位置決め手段が上記構成を備えていると、上框３１、左右それぞれの縦框３２及び下框３５の各磁石７０をそれらの相手方部材の吸着面に吸着させることによって、上框３１、左右それぞれの縦框３２及び下框３５によって構成される内枠が外枠に嵌合位置で位置決めされる。パネル１００の交換は、上框３１、左右それぞれの縦框３２及び下框３５によって構成される内枠を外枠から離脱させた後、パネル１００を図１０のように外枠の受け面２０と内枠の押え面４０との間に挟み込む。
【００５２】
図１１は第４の実施形態によるパーテーションの一部を省略して示した概略縦断側面図、図１２は同パーテーションの一部を省略して示した概略横断平面図である。
【００５３】
この実施形態では、外枠１０の左右の縦枠部１２に縦方向に延びる溝部８１を具備させると共に、外枠１０の上枠部１１にスリット状の差込み口８２を具備させてある。また、幅木部１３には、図２に示したものと同様の溝部１４を具備させてある。そして、パネル１００の交換作業は、上記の差込み口８２や溝部８１を利用してパネル１００を抜き差しすることによって行う。なお、図１１及び図１２において、符号８３，８４は目隠し板を示している。
【００５４】
図１３は第５の実施形態によるパーテーションの一部を省略して示した概略横断平面図である。
【００５５】
この実施形態では、外枠１０の左右の縦枠部１２に縦方向に延びる溝部８１を具備させると共に、左右の縦枠部１２の補強部材などに縦長の切欠き９１を設けることによって、一方側又は他方側の切欠き９１や溝部８１をパネル１００を抜き差しすることのできる差込み口として利用することができるように構成してある。このものにおいて、パネル１００の交換作業は、一方側又は他方側の切欠き９１及び溝部８１を差込み口として利用してパネル１００を横方向に抜き差しすることによって行う。矢印Ｉは一方側の溝部８１を差込み口として利用した場合のパネル１００の差込み方向を示している。なお、図１３に示した一方側の目隠し板８３は、パネル１００を溝部８１に差し込んだ後に、縦枠部１２に装着される。
【００５６】
以上説明した第１〜第５の各実施形態において、外枠１０の上枠部１１、縦枠部１２及び幅木部１３、内枠３０の上框３１、縦框３２、下框３５などは、木質材、金属材又は合成樹脂材のいずれかを選択して製作することが可能である。また、図１０に示した吸着面２６，２７などは、外枠１を磁性を発揮する金属の肌面によって形成することができる。また、金属材を用いる場合には、外枠１０の上枠部１１、縦枠部１２及び幅木部１３や、内枠３０の上框３１、縦框３２、下框３５などを、プレス成形された板金によって形成することも、アルミ引抜き品によって形成することも可能である。
【００５７】
図１４は本発明に係るパーテーションの使用例を示した概略斜視図である。同図の使用例は、複数のパーテーションＰをヒンジ（不図示）を用いて横に連結し、それぞれのパーテーションＰをヒンジを利用して交互に反対方向に折り曲げて屏風のように立てた事例である。本発明に係るパーテーションは、図１４の事例のほか、室内空間の間仕切りとして使用することも、衝立として使用することも、あるいは駅構内の柱の壁面装飾などとして使用することも可能である。
【００５８】
なお、図１〜図１３において、同一又は相応する部分には同一符号を付してある。
【符号の説明】
【００５９】
１０  外枠
１１  上枠部
１２  縦枠部
１３  幅木部
１４  溝部
１５  パネル支持面
１７  表示窓
２０  受け面
３０  内枠
３１  上框
３１ａ，３２ａ，３５ａ  ボルト挿通孔部（内枠位置決め手段）
３２  縦框
３５  下框
４０  押え面
５０  蝶番（内枠位置決め手段）
６１，６２，６３  ねじ孔（内枠位置決め手段）
６５  ボルト（内枠位置決め手段）
７０  磁石（内枠位置決め手段）
８１  溝部
１００  パネル
１０１  パネルの下端縁部
Ｐ  パーテーション
【図１】
2011021409.tif 000003
【図２】
2011021409.tif 000004
【図３】
2011021409.tif 000005
【図４】
2011021409.tif 000006
【図５】
2011021409.tif 000007
【図６】
2011021409.tif 000008
【図７】
2011021409.tif 000009
【図８】
2011021409.tif 000010
【図９】
2011021409.tif 000011
【図１０】
2011021409.tif 000012
【図１１】
2011021409.tif 000013
【図１２】
2011021409.tif 000014
【図１３】
2011021409.tif 000015
【図１４】
2011021409.tif 000016